(57)【特許請求の範囲】
【請求項１】
放電針と、該放電針の長手方向において該放電針の先端と所定間隔をあけて対向する接地電極とを備え、前記放電針への高電圧の印加により生じるコロナ放電にてイオンを発生させる除電装置において、
前記放電針における前記長手方向と直交する方向の側方には、前記放電針の異常放電を抑制するための、導電性材料を含む薄膜状又は板状をなし電位不定状態の異常放電抑制手段が前記放電針から離間して設けられ、
前記異常放電抑制手段は、前記長手方向において少なくとも前記放電針の先端部と対応する位置から前記接地電極の前記放電針と対向する対向面と対応する位置に亘って前記長手方向に沿うように設けられたことを特徴とする除電装置。
【請求項２】
請求項１に記載の除電装置において、
前記異常放電抑制手段の前記放電針側には、絶縁性部材が配設されたことを特徴とする除電装置。
【請求項３】
請求項２に記載の除電装置において、
前記放電針の先端部と前記異常放電抑制手段との間隔は、前記放電針の先端部と前記接地電極との間隔以下となるように構成されたことを特徴とする除電装置。
【請求項４】
請求項２又は３に記載の除電装置において、
前記異常放電抑制手段は、シール状の部材からなり、前記絶縁性部材に貼付固定されたことを特徴とする除電装置。
【請求項５】
請求項２又は３に記載の除電装置において、
前記異常放電抑制手段は、前記絶縁性部材に金属蒸着されてなることを特徴とする除電装置。
【請求項６】
請求項１〜５のいずれか１項に記載の除電装置において、
前記異常放電抑制手段は、前記放電針を挟むように一対設けられたことを特徴とする除電装置。
【請求項７】
請求項６に記載の除電装置において、
前記各異常放電抑制手段から前記放電針の先端部までの間隔は、互いに等しくなるように構成されたことを特徴とする除電装置。
【請求項８】
請求項１〜７のいずれか１項に記載の除電装置において、
前記異常放電抑制手段は、その前記導電性材料が金属材料であることを特徴とする除電装置。
【発明の詳細な説明】
【技術分野】
【０００１】
本発明は、例えば、電子部品等の静電気を除去するための除電装置に関するものである。
【背景技術】
【０００２】
従来、電子部品等への塵埃の付着を防止すべく、電子部品等の製造ラインや作業台等には静電気を除去するための除電装置が固定される。このような除電装置のハウジングには、イオンの放出口が形成され、その放出口にはイオン発生部が設けられている。例えば、特許文献１の除電装置では、イオン発生部は、ハウジング内に設けられた圧電トランスに接続される放電針と、放電針と離間して設けられる接地電極とを備え、放電針はその長手方向がイオンを放出する方向に沿って設けられ、接地電極は放電針の長手方向軸線周りを取り囲むようにハウジングに固定されている。
【０００３】
このような除電装置では、放電針に高電圧を印加してコロナ放電を発生させて周囲の空気をイオン化させるようになっている。この放電針に印加する高電圧は、プラスとマイナスとで周期的に交互に印加され、その結果、コロナ放電により発生するイオンは、プラスとマイナスのものが周期的に交互に発生する。そして、そのイオンを順次除電対象物に供給することで、除電対象物の除電が可能となっている。
【０００４】
しかしながら、上記特許文献１のような除電装置では、放電針の長手方向がイオンの放出方向に沿って設けられるため、放電針の長手方向軸線周りを取り囲む接地電極とともに、イオン放出方向に沿った大きなスペースを必要とし、大型化してしまうという問題がある。そこで、この問題を解決するために、放電針をその長手方向がイオン放出方向と直交するように設け、接地電極を放電針の先端と放電針の長手方向に対向するように配置した構成が考えられている。このような構成によれば、放電針の長手方向がイオン放出方向に沿って設けられるものに比べて、イオン放出方向に小型化することができるようになっている。
【先行技術文献】
【特許文献】
【０００５】
【特許文献１】特開２００２−１５１２９３号公報
【発明の概要】
【発明が解決しようとする課題】
【０００６】
ところで、接地電極が放電針と該放電針の長手方向に対向する構成の除電装置では、放電針及び接地電極の側方（それらの対向方向と直交する方向及びイオン放出方向とそれぞれ直交する方向の側方）には、樹脂製のハウジング（例えばイオン放出口）が構成されている。この放出口の外側面に、例えば水滴や汚れが付着したり、使用者が触れたりすると、放出口の外側面の電位が均一に保たれなくなり、このとき、放出口の側面のある箇所の電位が異常放電レベルに達すると、放電針の先端から異常放電レベルに達した箇所との間で異常放電（例えばスパーク）が発生してしまう。こうなると、除電対象物に供給するイオンのプラスマイナスのバランス（イオンバランス）が崩れ、除電対象物の除電が好適になされない除電不良（例えば、十分に除電できていない状態や過剰帯電する状態となること）が生じる虞があった。そして、除電不良が生じると、例えば生産ラインにおいて、除電対象物が加工や組み立てに利用されるものである場合に、この除電対象物の加工や組み立ての際に静電気が発生し易くなり、その静電気によって除電対象物が耐電圧レベルを超えて破損してしまう虞がある。
【０００７】
本発明は、上記課題を解決するためになされたものであって、その目的は、異常放電の発生を抑えて除電対象物に供給するイオンのイオンバランスを安定させ、除電不良に起因する除電対象物の破損を抑制することができる除電装置を提供することにある。
【課題を解決するための手段】
【０００８】
上記課題を解決するために、請求項１に記載の発明は、放電針と、該放電針の長手方向において該放電針の先端と所定間隔をあけて対向する接地電極とを備え、前記放電針への高電圧の印加により生じるコロナ放電にてイオンを発生させる除電装置において、前記放電針と前記接地電極における前記長手方向と直交する方向の側方には、前記放電針の異常放電を抑制するための、導電性材料を含む薄膜状又は板状をなし電位不定状態の異常放電抑制手段が前記放電針から離間して設けられ、前記異常放電抑制手段は、前記長手方向において少なくとも前記放電針の先端部と対応する位置から前記接地電極の前記放電針と対向する対向面と対応する位置に亘って前記長手方向に沿うように設けられたことを特徴とする。
【０００９】
この発明では、異常放電抑制手段の表面に例えば水滴や汚れ等が付着した場合、その付着物の電荷は、導電性材料を含む異常放電抑制手段の全体に拡散する（異常放電抑制手段により電位が平均化される）ため、異常放電抑制手段の設置部位における電位が略均一に保たれやすくなっている。このため、水滴や汚れ等の付着によって放電針と接地電極における長手方向と直交する方向の側方の部位の電位が異常放電レベルに達してしまうことを抑制することが可能となる。これにより、放電針の異常放電が抑制され、その結果、放出するイオンのプラスマイナスのバランス（イオンバランス）を安定させ、除電不良に起因する除電対象物の破損を抑制することができる。
【００１１】
この発明では、異常放電抑制手段が、放電針の長手方向において少なくとも放電針の先端部と対応する位置から接地電極の放電針と対向する対向面と対応する位置に亘って放電針の長手方向に沿って設けられるため、放電針の異常放電をより確実に抑制することができる。
【００１２】
請求項２に記載の発明は、請求項１に記載の除電装置において、前記異常放電抑制手段の前記放電針側には、絶縁性部材が配設されたことを特徴とする。
この発明では、異常放電抑制手段の放電針側に絶縁性部材が配設されるため、例えば、絶縁性部材を除電装置のハウジングの一部を構成するものとし、その絶縁性部材に異常放電抑制手段を設けることが可能となるため、異常放電抑制手段を容易に構成することが可能となる。また、絶縁性部材によって、放電針の先端部と異常放電抑制手段との間隔を放電針の先端部と接地電極との間隔よりも大きくする必要がなくなり、除電装置の小型化に寄与できる。
【００１３】
請求項３に記載の発明は、請求項２に記載の除電装置において、前記放電針の先端部と前記異常放電抑制手段との間隔は、前記放電針の先端部と前記接地電極との間隔以下となるように構成されたことを特徴とする。
【００１４】
この発明では、放電針の先端部と異常放電抑制手段との間隔が、放電針の先端部と接地電極との間隔以下となるように構成されるため、放電針の先端部と異常放電抑制手段との対向方向において除電装置の小型化が可能となる。
【００１５】
請求項４に記載の発明は、請求項２又は３に記載の除電装置において、前記異常放電抑制手段は、シール状の部材からなり、前記絶縁性部材に貼付固定されたことを特徴とする。
【００１６】
この発明では、異常放電抑制手段はシール状の部材からなり、絶縁性部材に貼付固定されるため、絶縁性部材への異常放電抑制手段の取り付けが容易となる。
請求項５に記載の発明は、請求項２又は３に記載の除電装置において、前記異常放電抑制手段は、前記絶縁性部材に金属蒸着されてなることを特徴とする。
【００１７】
この発明では、異常放電抑制手段が絶縁性部材に金属蒸着されてなるため、異常放電抑制手段を絶縁性部材から剥がれにくく構成することが可能となる。
請求項６に記載の発明は、請求項１〜５のいずれか１項に記載の除電装置において、前記異常放電抑制手段は、前記放電針を挟むように一対設けられたことを特徴とする。
【００１８】
この発明では、異常放電抑制手段が放電針を挟むように一対設けられるため、異常放電の抑制効果をより向上させることが可能となる。
請求項７に記載の発明は、請求項６に記載の除電装置において、前記各異常放電抑制手段から前記放電針の先端部までの間隔は、互いに等しくなるように構成されたことを特徴とする。
【００１９】
この発明では、異常放電抑制手段を設けた放電針の両側での電位を均一に保ちやすくすることができ、放電針の異常放電を好適に抑制することが可能となる。
請求項８に記載の発明は、請求項１〜７のいずれか１項に記載の除電装置において、前記異常放電抑制手段は、その前記導電性材料が金属材料であることを特徴とする。
【００２０】
この発明では、異常放電抑制手段の導電性材料が金属材料であるため、放電針の異常放電を好適に抑制することが可能となる。
【発明の効果】
【００２１】
従って、上記記載の発明によれば、異常放電の発生を抑えて除電対象物に供給するイオンのイオンバランスを安定させ、除電不良に起因する除電対象物の破損を抑制することができる。
【図面の簡単な説明】
【００２２】
【図１】本実施形態における除電装置の斜視図である。
【図２】同実施形態における除電装置の正面図である。
【図３】同実施形態における除電装置の側面図である。
【図４】別例における除電装置の概略構成図である。
【発明を実施するための形態】
【００２３】
以下、本発明を具体化した一実施形態を図面に従って説明する。
図１及び図２に示すように、本実施形態の除電装置は、絶縁性の樹脂材よりなる第１ケース１１及び第２ケース１２からなるハウジング１３と、ハウジング１３の正面側に着脱可能に取り付けられた放電ユニット１４と、ハウジング１３内に収容保持されるシロッコファン１５（図２参照）とを備えている。
【００２４】
ハウジング１３は、その幅方向中央から片側半分が第１ケース１１、もう半分が第２ケース１２にて構成され、各ケース１１，１２が幅方向に組み付けられて構成されている。尚、ハウジング１３の前後方向、幅方向及び上下方向は、それぞれ互いに直交する方向である（図１参照）。
【００２５】
ハウジング１３の正面側には、放電ユニット１４を取り付けるための取付部１６が形成されている。取付部１６は、ハウジング１３の前後方向と直交する底面部１６ａと、底面部１６ａから前方に突出しハウジング１３の幅方向に対向する一対の側壁部１６ｂと、底面部１６ａから前方に突出し一対の側壁部１６ｂの上端同士を繋ぐ上部１６ｃとを有している。一対の側壁部１６ｂは、第１及び第２ケース１１，１２にそれぞれ形成され、ハウジング１３の幅方向と直交する略平面板状をなしている。尚、一対の側壁部１６ｂは、第１ケース１１の側面１１ａと第２ケース１２の側面１２ａに対してそれぞれ面一となるように形成されている。また、取付部１６の底面部１６ａには、ハウジング１３の内外を連通する開口部１６ｄが形成されている（図２参照）。
【００２６】
取付部１６に装着される放電ユニット１４は、ハウジング１３内に設けられた圧電トランス（図示略）と電気的に接続される２つの放電針２１，２２と、該放電針２１，２２と対向する接地電極２３と、放電針２１，２２及び接地電極２３とを保持しハウジング１３の取付部１６に着脱可能に取り付けられた絶縁性の樹脂材よりなるユニットケース２４とを備えている。
【００２７】
ユニットケース２４は、ハウジング１３の幅方向に対向する側枠部２４ａと、その側枠部２４ａの上端同士を繋ぐ上枠部２４ｂとを有している。側枠部２４ａ及び上枠部２４ｂは略平面板状をなし、それらは互いに直交している。また、各側枠部２４ａは、取付部１６の側壁部１６ｂと平行をなし、一対の側枠部２４ａと一対の側壁部１６ｂとはそれぞれ幅方向に部分的に当接している。上枠部２４ｂは、各放電針２１，２２を保持している。
【００２８】
また、ユニットケース２４は、側枠部２４ａ間の一部において前面壁部２４ｃを有している。尚、前面壁部２４ｃの前面には、前面壁部２４ｃと同サイズの板状部材２５が配置されている。前面壁部２４ｃは、ハウジング１３の前後方向と直交する略平面板状をなしており、その幅方向両端部でそれぞれ側枠部２４ａと繋がっている。この前面壁部２４ｃの内側には、前記接地電極２３が配置されている。
【００２９】
各側枠部２４ａと上枠部２４ｂと前面壁部２４ｃとに囲まれた部分には、上枠部２４ｂから前面壁部２４ｃに亘って形成された仕切り部２４ｄによって仕切られた２つのイオン放出口２６，２７が形成されている。イオン放出口２６，２７はハウジング１３の前後方向に貫通しており、イオン放出口２６，２７内には、上枠部２４ｂに保持された放電針２１，２２の先端部２１ａ，２２ａがそれぞれ位置するように構成されている。このイオン放出口２６，２７及び放電針２１，２２は、放電ユニット１４の幅方向中央線に対して線対称となるように構成されている。そして、イオン放出口２６，２７は、前記取付部１６の開口部１６ｄと重なる（連通する）ように構成されている。
【００３０】
尚、仕切り部２４ｄは、その上下方向中間部で前面壁部２４ｃ側にかけて二股に分かれる形状をなし、これにより、各イオン放出口２６，２７は、略下半分が幅狭形状をなしている。このため、イオン放出口２６，２７は、その開口面積を確保しつつも、使用者の指等がイオン放出口２６，２７に入りにくい構成となっている。
【００３１】
各放電針２１，２２は、その長手方向（針先方向）がハウジング１３の上下方向と平行をなすように、その長手方向中央部を上枠部２４ｂにて保持されている。尚、各放電針２１，２２の先端部２１ａ，２２ａは、仕切り部２４ｄの二股に分かれた部分よりも上枠部２４ｂ側に位置している。そして、各放電針２１，２２の先端部２１ａ，２２ａは、該放電針２１，２２の長手方向において接地電極２３と所定の間隔Ｄを隔てて対向している。接地電極２３は、放電針２１，２２との対向面２３ａ（上面）がハウジング１３の上下方向（放電針２１，２２の長手方向）と直交する平面状をなしている。接地電極２３は、前面壁部２４ｃの内側でユニットケース２４に保持されており、接地電極２３の幅方向長さは、ユニットケース２４の側枠部２４ａ間の間隔と略等しくなるように構成されている。
【００３２】
尚、放電ユニット１４をハウジング１３の取付部１６から取り外す際には、ユニットケース２４の下端２４ｅがハウジング１３の下端１３ａと重なる位置までユニットケース２４をスライド移動させた後、前方へ引き抜いて取り外すようになっている。尚、本実施形態では、ユニットケース２４の下端２４ｅがハウジング１３の下端１３ａと重なる位置よりも下側への放電ユニット１４のスライド移動が規制される構成となっている。また、取り外すときと反対の動作を行うことで、放電ユニット１４を取付部１６に取り付けるようになっている。尚、放電ユニット１４の取り付け動作（詳しくは、放電ユニット１４の上方へのスライド移動）により、各放電針２１，２２の基端部が取付部１６の上部１６ｃ内に挿入されて、その内部で前記圧電トランスと電気的に接続されるようになっている。また、接地電極２３は、放電ユニット１４をハウジング１３の取付部１６に装着することで、該取付部１６の底面部１６ａに設けられたグランド用端子（図示略）と電気的に接続されるようになっている。
【００３３】
このような放電ユニット１４では、前記圧電トランスにて発生された高電圧が放電針２１に印加されると、コロナ放電が発生して各放電針２１，２２の先端部２１ａ，２２ａの周囲の空気がイオン化される。各放電針２１，２２には互いに等しい電圧が印加されるとともに、その印加する電圧の極性（プラス・マイナス）は周期的に交互に変化するようになっており、これにより、放電針２１，２２の先端部２１ａ，２２ａにはプラスイオンとマイナスイオンが交互に発生される。
【００３４】
ハウジング１３内に設けられたシロッコファン１５は、図示しないモータにて回転駆動されると、第２ケース１２の側面１２ａの中央に形成された円形の吸引口１２ｂを介して空気を吸引する。そして、その吸引方向と直交する方向にハウジング１３（取付部１６）の開口部１６ｄ及び放電ユニット１４のイオン放出口２６，２７を介して空気を吹き出すように動作する。即ち、放電ユニット１４にて発生されたイオン（イオン化された空気）は、シロッコファン１５の送風動作にてイオン放出口２６，２７から前方（放電針２１，２２の長手方向と直交する方向）に吹き出されるようになっている。
【００３５】
このような除電装置において、取付部１６の一対の側壁部１６ｂの外面を含む第１及び第２ケース１１，１２の側面１１ａ，１２ａには、放電針２１，２２の異常放電（スパーク）を抑制するための板状の異常放電抑制部材３１，３２（異常放電抑制手段）が貼付固定されている。各異常放電抑制部材３１，３２は、薄板の表面に例えばＡｇペーストがプリントされてなるとともに、その裏面に接着材が塗布されたシール状の部材である。このため、第１及び第２ケース１１，１２への取り付けが容易となっている。また、異常放電抑制部材３１，３２は電位不定状態（電気的にフローティング状態）となるように構成されている。即ち、異常放電抑制部材３１，３２は、グランドに直接又は間接的に接続されないように構成されている。尚、取付部１６の一対の側壁部１６ｂの外面には、貼り付ける異常放電抑制部材３１，３２よりも若干大きいサイズの取付凹部１７がそれぞれ形成され、その取付凹部１７に異常放電抑制部材３１，３２がそれぞれ貼り付けられている。
【００３６】
各異常放電抑制部材３１，３２は、その板面（表面）が第１及び第２ケース１１，１２の側面１１ａ，１２ａと平行をなしている。即ち、各異常放電抑制部材３１，３２の板面は、ハウジング１３の幅方向（放電針２１，２２の長手方向と直交する方向）と直交し、放電針２１，２２の長手方向に対して平行をなしている。
【００３７】
また、第２ケース１２側の異常放電抑制部材３２は、その上下方向長さが放電ユニット１４（ユニットケース２４）の上下方向長さと略同等になるように設定され、第１ケース１１側の異常放電抑制部材３１は、その上下方向長さが放電ユニット１４の上下方向長さよりも大きくなるように設定されている。そして、各異常放電抑制部材３１，３２は上下方向において少なくとも、放電針２１，２２の先端部２１ａ，２２ａと対応する位置（放電針２１，２２の先端部２１ａ，２２ａを幅方向に投影した位置）から接地電極２３の対向面２３ａに対応する位置（接地電極２３の対向面２３ａを幅方向に投影した位置）に亘って設けられている（図３参照）。
【００３８】
図３に示すように、各異常放電抑制部材３１，３２の前後方向長さは、放電針２１，２２及び接地電極２３の前後方向長さよりも大きく設定されている。尚、第１ケース１１側の異常放電抑制部材３１の前後方向長さは、第２ケース１２側の異常放電抑制部材３２の前後方向長さよりも大きく設定されている。そして、各異常放電抑制部材３１，３２は、放電針２１，２２におけるユニットケース２４の保持部分（上枠部２４ｂ）よりも先端側の部分の幅方向（図３の紙面直交方向）への投影、及び接地電極２３の対向面２３ａの幅方向への投影と重なるように設けられている。
【００３９】
このような除電装置では、異常放電抑制部材３１，３２の表面に例えば水滴や汚れ等が付着した場合、その付着物の電荷は異常放電抑制部材３１又は異常放電抑制部材３２の全体に拡散する（異常放電抑制部材３１，３２により電位が平均化される）ため、異常放電抑制部材３１，３２の設置部位における電位が略均一に保たれやすくなっている。このため、水滴や汚れ等の付着によってハウジング１３（側壁部１６ｂ）の電位が異常放電レベルに達してしまうことが抑制されるようになっている。これにより、放電針２１，２２と側枠部２４ａとの間の異常放電が抑制され、その結果、放出するイオンのプラスマイナスのバランス（イオンバランス）が安定し、除電対象物の破損が抑制されるようになっている。
【００４０】
また、本実施形態では、異常放電抑制部材３１と放電針２１の先端部２１ａとの間、及び異常放電抑制部材３２と放電針２２の先端部２２ａとの間には、それぞれハウジング１３（第１及び第２ケース１１，１２）とユニットケース２４の側枠部２４ａ（ともに絶縁性部材）とが介在されている。即ち、各異常放電抑制部材３１，３２の幅方向（放電針２１，２２の長手方向と直交する方向）における放電針２１，２２側にハウジング１３及びユニットケース２４の側枠部２４ａが位置するように構成されている。そして、ハウジング１３の幅方向視のサイズ（図３参照）は、異常放電抑制部材３１，３２よりも大きいため、異常放電抑制部材３１，３２と放電針２１，２２とが直接的に対向しない構成となっている。これにより、異常放電抑制部材３１と放電針２１の先端部２１ａとの幅方向（放電針２１，２２の長手方向と直交する方向）の間隔Ｓ１及び異常放電抑制部材３２と放電針２２の先端部２２ａとの幅方向の間隔Ｓ２を、放電針２１，２２の先端部２１ａ，２２ａと接地電極２３との上下方向（対向方向であって、放電針２１，２２の長手方向）の間隔Ｄよりも離間させなくても済む構成となっている。これは仮に、放電針２１，２２と異常放電抑制部材３１，３２との間に絶縁性の部材を介在しない構成とした場合、前記間隔Ｓ１及びＳ２を間隔Ｄよりも離間させないと放電針２１，２２と接地電極２３との間でのコロナ放電が安定しにくくなるためである。そして、本実施形態では、異常放電抑制部材３１と放電針２１の先端部２１ａとの幅方向の間隔Ｓ１及び異常放電抑制部材３２と放電針２２の先端部２２ａとの幅方向の間隔Ｓ２はともに、放電針２１，２２の先端部２１ａ，２２ａと接地電極２３との上下方向（対向方向）の間隔Ｄよりも小さく設定されている。これにより、ハウジング１３の幅方向の小型化に寄与できるようになっている。尚、異常放電抑制部材３１と放電針２１の先端部２１ａとの幅方向の間隔Ｓ１と、異常放電抑制部材３２と放電針２２の先端部２２ａとの幅方向の間隔Ｓ２とは、互いに等しく構成することが望ましい。
【００４１】
次に、本実施形態の特徴的な作用効果を記載する。
（１）放電針２１，２２と接地電極２３における長手方向と直交する方向（ハウジング１３の幅方向）の側方には、放電針２１，２２の異常放電を抑制するための、導電性材料を含む薄膜状又は板状をなし電位不定状態の異常放電抑制部材３１，３２が放電針２１，２２から離間して設けられる。そして、異常放電抑制部材３１，３２は、放電針２１，２２の長手方向における放電針２１，２２の先端部２１ａ，２２ａと対応する位置から接地電極２３の放電針２１，２２と対向する対向面２３ａと対応する位置に亘って放電針２１，２２の長手方向に沿うように設けられる。これにより、異常放電抑制部材３１，３２の表面に例えば水滴や汚れ等が付着した場合、その付着物の電荷は、導電性材料を含む異常放電抑制部材３１，３２の全体に拡散する（異常放電抑制部材３１，３２により電位が平均化される）ため、異常放電抑制部材３１，３２の設置部位における電位が略均一に保たれやすくなっている。このため、水滴や汚れ等の付着によって放電針２１，２２と接地電極２３における長手方向と直交する方向の側方の部位（側枠部２４ａ）の電位が異常放電レベルに達してしまうことを抑制することが可能となる。これにより、放電針２１，２２の異常放電が抑制され、その結果、放出するイオンのプラスマイナスのバランス（イオンバランス）を安定させ、除電不良に起因する除電対象物の破損を抑制することができる。
【００４２】
（２）異常放電抑制部材３１，３２が、上下方向（放電針２１，２２の長手方向）において少なくとも放電針２１，２２の先端部２１ａ，２２ａと対応する位置から接地電極２３の放電針２１，２２と対向する対向面２３ａと対応する位置に亘って放電針２１，２２の長手方向に沿って設けられるため、放電針２１，２２の異常放電をより確実に抑制することができる。
【００４３】
（３）異常放電抑制部材３１の幅方向（放電針２１，２２の長手方向と直交する方向）における放電針２１側と、異常放電抑制部材３２の幅方向（放電針２１，２２の長手方向と直交する方向）における放電針２２側とにそれぞれ絶縁性部材（ユニットケース２４の側枠部２４ａ及び取付部１６の側壁部１６ｂ）が配設されるため、本実施形態のように、絶縁性部材を除電装置のハウジング１３の一部を構成するものとし、そのハウジング１３に異常放電抑制部材３１，３２を設けることが可能となるため、異常放電抑制部材３１，３２を容易に構成することが可能となる。また、異常放電抑制部材３１の放電針２１側と異常放電抑制部材３２の放電針２２側とに、それぞれユニットケース２４の側枠部２４ａ及び取付部１６の側壁部１６ｂが配設されることで、放電針２１，２２の先端部２１ａ，２２ａと異常放電抑制部材３１，３２との間隔Ｓ１及びＳ２を放電針２１，２２の先端部２１ａ，２２ａと接地電極２３との間隔Ｄよりも大きくする必要がなくなり、除電装置の小型化に寄与できる。尚、放電針２１，２２の先端部２１ａ，２２ａとは、放電針２１，２２の頂部（針先）のことである。
【００４４】
（４）放電針２１，２２の先端部２１ａ，２２ａと異常放電抑制部材３１，３２との幅方向（放電針２１，２２の長手方向と直交する方向）における間隔Ｓ１，Ｓ２が、放電針２１，２２の先端部２１ａ，２２ａと接地電極２３との間隔Ｄ以下となるように構成されるため、放電針２１，２２の先端部２１ａ，２２ａと異常放電抑制部材３１，３２との対向方向（ハウジング１３の幅方向）において除電装置の小型化が可能となる。
【００４５】
（５）異常放電抑制部材３１，３２はシール状の部材からなり、絶縁性部材（ハウジング１３）に貼付固定されるため、ハウジング１３への異常放電抑制部材３１，３２の取り付けが容易となる。
【００４６】
（６）異常放電抑制部材３１，３２は、ハウジング１３の幅方向において放電針２１，２２を挟むように一対設けられる。これは、放電針を１本のみ設けた構成の場合には、異常放電抑制部材３１，３２は、その１本の放電針を挟むようにハウジング１３の幅方向の両側にそれぞれ配置されるが、放電針２１，２２がハウジング１３の幅方向に２本並設された構成の場合には、これら２本の放電針２１，２２を群として、その群をハウジング１３の幅方向に挟むようにそれぞれ配置される。つまり、放電針や放電針が複数並設された群の外から電位影響を受けないように、ハウジング１３の幅方向の最外の放電針の外側に異常放電抑制部材３１，３２が配置されていればよい。これにより、ハウジング１３の両側からの外的な電位影響を抑えることができ、異常放電の抑制効果をより向上させることが可能となる。
【００４７】
（７）異常放電抑制部材３１，３２は導電性材料として金属材料を含むため、放電針２１，２２の異常放電を好適に抑制することが可能となる。
尚、本発明の実施形態は、以下のように変更してもよい。
【００４８】
・上記実施形態では、放電針２１，２２が２つ設けられたが、１つ又は３つ以上設けてもよい。
また、放電針２１を例えば１つ設ける場合に、図４に示すような構成としてもよい。図４では、放電針２１の長手方向において放電針２１の先端部２１ａと接地電極２３とが対向しており、この放電針２１と接地電極２３における、放電針２１の長手方向と直交する方向（図４中、方向Ａ）の両側には、導電性材料を含む板状をなし電位不定状態の異常放電抑制部材４１がそれぞれ設けられている。このように、放電針２１を挟むように一対の異常放電抑制部材４１を配する（即ち、一対の異常放電抑制部材４１間に放電針２１を配置する）ことで、異常放電の抑制効果をより向上させることが可能となる。
【００４９】
また、各異常放電抑制部材４１は、方向Ａ（放電針２１の長手方向と直交する方向）における放電針２１の先端部２１ａまでの間隔Ｓ３が互いに等しくなるように設けられており、このため、異常放電抑制部材４１を設けた放電針２１の両側での電位を均一に保ちやすくすることができ、放電針２１の異常放電を好適に抑制することが可能となる。
【００５０】
・上記実施形態では、異常放電抑制手段をシール状の異常放電抑制部材３１，３２としてハウジング１３（第１及び第２ケース１１，１２）の側面１１ａ，１２ａに貼付固定する構成としたが、特にこれに限定されるものではなく、例えば金属板としてネジや接着材等で固定する構成としてもよい。また、異常放電抑制手段をハウジング１３の側面１１ａ，１２ａに金属蒸着して薄膜状に形成してもよい。これによれば、異常放電抑制手段をハウジング１３（絶縁性部材）から剥がれにくく構成することが可能となる。
【００５１】
・上記実施形態では、異常放電抑制部材３１，３２は、導電性材料として金属材料（例えばＡｇ）を含む構成としたが、特にこれに限定されるものではなく、例えば導電性樹脂や半導体や炭素を有する素材を含む構成としてもよい。
【００５２】
・上記実施形態では、異常放電抑制部材３１，３２と放電針２１，２２の先端部２１ａ，２２ａとの間には、それぞれ第１及び第２ケース１１，１２とユニットケース２４の側枠部２４ａとが介在される構成とした。しかし、特にこれに限定されるものではなく、異常放電抑制部材３１，３２と放電針２１，２２の先端部２１ａ，２２ａとの間に、第１及び第２ケース１１，１２とユニットケース２４の側枠部２４ａとが介在されない構成（例えば、導電性材料でハウジングを構成してそのハウジング側壁部を板状の異常放電抑制手段とする構成）としてもよい。尚、このような構成の場合、放電針の先端部から異常放電抑制部材までの間隔は、放電針の先端部から接地電極までの間隔よりも大きくする。
【００５３】
・上記実施形態では、イオンを送り出す送風手段がシロッコファン１５であるタイプの除電装置に本発明を適用したが、特にこれに限定されるものではなく、吸い込む方向と吹き出す方向が同方向のファンを送風手段として備えるタイプの除電装置に適用してもよい。また、イオンを送り出す送風手段を備えない除電装置に適用してもよい。
【符号の説明】
【００５４】
１３…絶縁性部材としてのハウジング、２１，２２…放電針、２１ａ，２２ａ…先端部、２３…接地電極、２３ａ…対向面、２４ａ…絶縁性部材としての側枠部、３１，３２，４１…異常放電抑制手段としての異常放電抑制部材、Ｄ…放電針の先端部と接地電極との間隔、Ｓ１，Ｓ２，Ｓ３…放電針の先端部と異常放電抑制部材との間隔。
【図１】
0005406671.tif 000002
【図２】
0005406671.tif 000003
【図３】
0005406671.tif 000004
【図４】
0005406671.tif 000005